(57)【特許請求の範囲】
【請求項１】
基部（１）を有し、仕掛けセット板（２）が開閉できるようにヒンジ結合され、仕掛けセット板（２）を閉じた状態の該仕掛けセット板（２）の表面にはヒンジと反対側に多数の仕掛けピンを設け、該表面のヒンジの側にハリス仮止めを設け、ヒンジ側の基部（１）の端部より仕掛けセット板（２）の端部をはみ出るように構成することで、仕掛けセット板（２）を開いたときに止まるように構成し、仕掛けセット板（２）を開いたときに開口状態を保持する横方向に折り畳み得る仕掛けセット板仮止め（３）を設けた釣り用装置
【発明の詳細な説明】
【０００１】
【発明の属する技術分野】
海釣り用の釣り用装置に関するものである。
【０００２】
【従来の技術】
特願平７−１９６９４５公報．名称釣り仕掛けセット投入器が公知であるが、セットは確実に行われるが仕掛けを投入するときに仕掛け糸とハリスを指ではさみ、滑らせながらおもりから順に１本１本ハリスを投入しなければならず時間を要することと、習熟に時間を要する。おもりを単に海に投げ入れると、その勢いで急激に仕掛けが引っ張られることで突起部分にからまる恐れがある。又仕掛けをセットしたときに仕掛けの大部分が船縁内側に張り出して人体、物品が触れる恐れがあり、からみの一因となる。仕掛けに結束したおもりを仮止めする構造でないため、からみの一因となる。
この外、市販されている物にマグネットゴムに釣り針を置く用具もあるが、強い風や、波、衝撃により用具から釣り針が落ちて仕掛けがからむ原因となる。
【０００３】
【発明が解決しようとする課題】
多種多様の仕掛けに対応でき仕掛けのセットを確実に行い、風、波、衝撃でセットが外れたり仕掛けがからむことを防止し、身体やおもり、物品に仕掛けが触れてからむことを防止することと、仕掛けを海へ投入するときには一瞬のようにスピーディーにスムーズに完了できるようなものを提供することである。
【０００４】
【課題を解決するための手段】
仕掛けセット板２の上部船内側に釣針掛けピン８を多数と海側に多数のハリス挟み９Ａを設定したハリス仮止め９を設置し、この間隔を１３センチメートル位にしたことで様々な長さのハリスに対応でき仕掛けをセットしたときには、図３に示す通り、釣針掛けピン８に釣針をかけ、ハリスをハリス挟み９Ａにはさむことで仕掛けを２重に仮止めできるように形成し且つ船の移動時の風、波、衝撃の影響で仕掛けが仕掛けセット板２からはずれたり、からむことを防止する為にハリス押さえ１２のハリス押さえ用フック１２Ａを仕掛けセット板２の左右対称にあるハリス押さえフック受け１０，１０Ａに掛けることで３重にハリスを仮止めするよう設定したことで解決している。
又、この時、仕掛けの一部１７は、海側に張り出すように設定しおもり１６はおもり掛けフック５に掛けることで、仕掛けセット時のからみ防止が確実に行われるようにしたものである。
【０００５】
仕掛けを海に投入するときは、図１に示すように仕掛けセット板２を約９０度に海側へ開き仕掛けセット板仮止め３を右に約９５度回転することで仮止めできるように形成したが、仕掛けセット時には、図３の通り、釣針掛けピン８が海面に対してほぼ垂直で船内側に先端が向いた状態であったものが、図１に示すように海面に対してほぼ平行で海側に先端が向く構造としたことで仕掛けに結束したおもり１６を海へ投げ入れることでからむことなくスムーズに一瞬のようにスピーディーに仕掛けを投入できるようにしたものである。
【０００６】
【発明の実施の形態】
以下図面に従い実施の形態について詳述する。図３に示すように仕掛けセット板２が海面に対し平行な状態から約９０度に開くように形成したことで釣針掛けピン８が海面に対しほぼ垂直に船内方向に向いている状態が仕掛けセット板２を約９０度に開けることで図１に示すように釣針掛けピン８が海面に対して船内側から海側方向にほぼ平行に向く構造としたものである。
【０００７】
釣り用装置は図１に示した基部１と仕掛けセット板２が、回転自在支点ピン１３、１３Ａでヒンジ結合し図２のように約９０度開く構造で仕掛けセット板仮止め３を図４に示すように基部１の厚みに収まった状態から仕掛けセット板仮止め回転自在ピン３Ａ、３Ｂを支点に右へ約９５度回転して仕掛けセット板２が約９０度に開いた状態で仮止めできる構造としたことで衝撃等で閉まらないように形成した。
【０００８】
釣針掛けピン８は図３のように仕掛けセット板が閉まった状態では釣り針を掛け仕掛けが抜け落ちないように船内側に海面に対しほぼ垂直に設置し弾性のある材質のものを使用する。
【０００９】
図３に示したようにハリス仮止め９のハリス挟み９Ａの切れ目にハリスを挟むことで仕掛けをより確実に仮止めするもので本件ではゴム製スポンジ等を使用する。
【００１０】
仕掛けセット板２は風、波や衝撃又は移動時の状況に対処すべく基部に回転自在にヒンジ結合し仕掛けセット板仮止めピン７に仕掛けセット板仮止め具６を掛けることで不用意に開かないように設定した。
【００１１】
この外に船の移動時に風、波や衝撃からハリスが外れることを防止する為にハリス押さえ１２によりハリス押さえフック受け１０、１０Ａにハリス押さえ用フック１２Ａを掛けハリス全体を上から押さえる構造とした。ハリス押さえ１２は弾性体、例えばゴムを使用する。
【００１２】
フック仮止め穴１１、１１Ａは左右対称に設定し、ハリス押さえ１２を使用しないときに１０から１１Ａ、又は、１０Ａから１１に仕掛けセット板基部を迂回して仮止めしておけるように形成し、使用時にスムーズに対処できるように設定した。
【００１３】
基部仮固定板図４の４は左右にある基部仮固定板差し込み開口部１Ｂに状況により左右のいずれかに基部仮固定差し込み部４Ｂを市販されている多種の竿仮固定具の使い易い長さまで差し込み、仮固定ピン１４を基部仮固定板４の基部仮固定板用ピン穴４Ｃから仮固定ピン受け穴１Ａまで差し込み仮止めできるように形成した。その上で、基部仮固定締め付け部４Ａと船縁を一緒に竿仮固定具で挟み、締めつけることで釣り用装置を確実に仮固定できる構造とした。
【００１４】
【実施例】
基部１の基部仮固定差し込み開口部１Ｂの左右いずれかに釣り座の状況により選択し基部仮固定板４の基部仮固定差し込み部４Ｂを差し込み仮固定ピン１４を基部仮固定板用ピン穴４Ｃから仮固定ピン受け穴１Ａに差し込み仮止めする。釣針掛けピン８は、船内側に向けて船縁に置き、基部仮固定締め付け部４Ａを船縁と一緒に市販の竿仮固定具で挟み締めつけることでつり装置を確実に仮固定する。このあと、図３の通り、基部１と仕掛けセット板２は閉めた状態で仕掛けセット板仮止め具６を仕掛けセット板仮止めピン７に掛け衝撃等で開かないように設定し仕掛けを竿仮固定具に仮止めした竿から出ている元糸に仕掛けに結んだ結束用スナップ１５で結束し釣針を釣針掛けピン８に掛けハリスを指で挟み指の間で滑らせながらハリス仮止め９のハリス挟み９Ａに挟み込み、これを順にくりかえし行い釣針を多数設置できるように形成した。最後に仕掛けに結束したおもり１６をおもり掛けフック５にかけてセット完了となる。この時、図３に示した仕掛けの一部１７は海側に張り出した状態となり身体や物品が触れることのないように設定した。
【００１５】
船の移動時は特に風と波の影響を受けやすいことを考慮し、ハリス押さえ１２のハリス押さえ用フック１２Ａをハリス押さえフック受け１０、１０Ａに掛けることでハリスを上から押さえるように設定した。
必要のない時は、ハリス押さえ１２のハリス押さえ用フック１２Ａの一方をハリス押さえフック受け１０Ａに掛け一方を基部１を迂回しフック仮止め穴１１に掛けることで利便性を考慮し形成した。
【００１６】
釣場に到着したときには、ハリス押さえ１２をハリス押さえフック受けから外し、基部１を迂回し、フック仮止め穴１１に掛けておくように設定した。船長の指示で仕掛けを海に投入するときは仕掛けセット板仮止め具６を仕掛けセット板仮止めピン７からはずし仕掛けセット板２を回転自在支点ピン１３、１３Ａを支点に約９０度に開け仕掛けセット板仮止め３を仕掛けセット板仮止め回転自在ピン３Ａ、３Ｂを支点に右に約９５度回転させることで仕掛けセット板を仮止めできるように形成したことでおもり１６を海へ投げ入れることで仕掛け投入は完了し、投入後は仕掛けセット板２を閉めて仕掛けセット板仮止め具６を仕掛けセット板仮止めピン７に掛けておくことで仕掛けを引き上げる準備が完了する。
【００１７】
【発明の効果】
船釣り時に釣り用胴付仕掛けを使用することが一般的であるが針数が複数で多いときには１１本使用する場合があり、ハリスの長さも多種で仕掛けの総延長が６メートルくらいになる場合もあり釣り人にとって仕掛けのからみが常に注意を要するものであるが船上では限られたスペースしか確保できず苦労することが多いがこれを解決した。
【００１８】
仕掛けを海に投入する時は船長の指示によるが、いかに早く仕掛けを投入するかが釣果に影響すると一般的には言われているが釣り用装置はおもりを海に投げ入れることで自動的に仕掛けがスムーズにスピーディーに投入できる構造で効果が大きいものである。
【図面の簡単な説明】
【図１】船縁の上に釣り装置を設置し仕掛けセット板２を約９０度に開いた斜視図である。
【図２】仕掛けセット板を約９０度に開いた右側面図である。
【図３】船縁に釣り装置を置き仕掛けをセットした斜視図である。尚、仕掛けの一部１７は実施時は船縁から海側に張り出す。
【図４】仕掛けセット板２を開け仕掛けセット板仮止め３が基部１の厚みの内に収まり基部仮固定板４を左側から差し込んだ実施例を示す横断面図である。
【図５】ハリス押さえとフックは一体で使用するがこれの平面図である。ハリス押さえ１２は弾性体を使用する。本件ではゴムを使用する。
【符号の説明】
１・・・基部                        １Ａ・・・仮固定ピン受け穴
１Ｂ・・・基部開口部．左右対称に設定した。
２・・・仕掛けセット板              ３・・・仕掛けセット板仮止め
３Ａ、３Ｂ・・・仕掛けセット板仮止め回転自在ピン
４・・・基部仮固定板                ４Ａ・・・基部仮固定締め付け部
４Ｂ・・・基部仮固定差し込み部      ４Ｃ・・・基部仮固定板用ピン穴
５・・・おもり掛けフック            ６・・・仕掛けセット板仮止め具
７・・・仕掛けセット板仮止めピン    ８・・・釣針掛けピン
９・・・ハリス仮止め                ９Ａ・・・ハリス挟み
１０、１０Ａ・・・ハリス押さえフック受け．左右対称に設定した。
１１、１１Ａ・・・フック仮止め穴．左右対称に設定した。
１２・・・ハリス押さえ              １２Ａ・・・ハリス押さえ用フック
１３、１３Ａ・・・回転自在支点ピン  １４・・・仮固定ピン
１５・・・仕掛け元糸結束用スナップ  １６・・・おもり
１７・・・仕掛けの海側に張り出す部分である。
【図１】
0003561842.tif 000002
【図２】
0003561842.tif 000003
【図３】
0003561842.tif 000004
【図４】
0003561842.tif 000005
【図５】
0003561842.tif 000006